【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
コンピューティング装置の表示機能を表す１組の表示特性を有するコンピューティング
装置の表示用に図形情報を修正する方法において、
図形情報の具体表現のシミュレーションを与える処理形式の図形情報を提供するために表示複製モジュールへの図形情報を生成するステップと、
コンピューティング装置の表示に適した表示形式に図形情報を変換するために、１組の
表示特性に基づくアクセス方式に従い前記表示複製モジュールから処理形式の図形情報を
入手するステップと
を含む方法。
【請求項２】
前記表示複製モジュールに図形情報を生成する前に、図形情報をそれぞれが図形情報か
らの表示可能な特性を表す複数の図形要素に区分するステップ
をさらに含み、生成するステップが、
処理形式の図形情報を複製するために前記表示複製モジュールへの前記複数の図形要素
のそれぞれを生成するステップ
を含む請求項１に記載の方法。
【請求項３】
前記表示複製モジュールに図形情報を生成する前に、図形データ記憶装置に図形情報を
要求するステップをさらに含む請求項１に記載の方法。
【請求項４】
要求するステップが、
コンピューティング装置の表示機能に基づいてコンピューティング装置の１組の表示特
性を作成するステップと、
図形情報に対する１組の表示特性と識別子とを含んでいる要求を前記図形データ記憶装
置に提供するステップと
を含む請求項３に記載の方法。
【請求項５】
区分するステップが、図形情報の表示を形成する決定された相互関係に従って構成され
た前記複数の図形要素のそれぞれの間の前記相互関係を決定するステップを含む請求項２
に記載の方法。
【請求項６】
生成するステップが、
前記複数の図形要素のそれぞれを第１の形式から処理形式に変換するステップと、
前記決定された相互関係に従い、前記表示複製モジュールで処理形式の前記複数の図形
要素のそれぞれを構成するステップと
を含む請求項５に記載の方法。
【請求項７】
入手するステップが、
１組の表示特性に基づいてコンピューティング装置に対する１組の制約を決定するステ
ップと、
処理形式の図形情報を１組の制約に適合させるために、前記アクセス方式を形成する１
組の操作を決定するステップと
を含む請求項１に記載の方法。
【請求項８】
入手するステップが、前記アクセス方式に基づいて処理形式の図形情報を前記表示複製
モジュールから取り出すステップをさらに含む請求項７に記載の方法。
【請求項９】
コンピューティング装置に表示形式の図形情報を表示するステップをさらに含む請求項
１に記載の方法。
【請求項１０】
前記表示複製モジュールが、コンピューティング装置の１組の表示特性と独立している
１組の規定特性を有し、処理形式が表示形式と独立している請求項１に記載の方法。
【請求項１１】
コンピューティング装置の表示機能を表す１組の表示特性を有するコンピューティング
装置の表示用に図形情報を修正する方法において、
図形情報をそれぞれが図形情報からの表示可能な特性を表す複数の図形要素に区分するステップと、
図形情報の具体表現のシミュレーションを与える処理形式の図形情報を提供するために表示複製モジュールへの前記複数の図形要素のそれぞれを生成するステップと、
コンピューティング装置の表示に適した表示形式に図形情報を変換するために、１組の
表示特性に基づくアクセス方式に従い前記表示複製モジュールから処理形式の図形情報を
入手するステップと
を含む方法。
【請求項１２】
図形情報を区分する前に図形データ記憶装置に図形情報を要求するステップをさらに含
む請求項１１に記載の方法。
【請求項１３】
要求するステップが、
コンピューティング装置のコンピューティング装置ベースの機能の１組の表示特性を作
成するステップと、
図形情報に対する１組の表示特性と識別子である要求を前記図形データ記憶装置に提供
するステップと
を含む請求項１２に記載の方法。
【請求項１４】
区分するステップが、図形情報の表示を形成する前記決定された相互関係に従って構成
された前記複数の図形要素のそれぞれの間の相互関係を決定するステップを含む請求項１
１に記載の方法。
【請求項１５】
生成するステップが、
前記複数の図形要素のそれぞれを処理形式に変換するステップと、
前記決定された相互関係に従い、前記表示複製モジュールで前記複数の処理形式の図形
要素のそれぞれを構成するステップと
を含む請求項１１に記載の方法。
【請求項１６】
入手するステップが、
１組の表示特性に基づいてコンピューティング装置に対する１組の制約を決定するステ
ップと、
処理形式の図形情報を１組の制約に適合させるために、前記アクセス方式を形成する１
組の操作を決定するステップと
を含む請求項１１に記載の方法。
【請求項１７】
入手するステップが、前記アクセス方式に基づいて処理形式の図形情報を前記表示複製
モジュールから取り出すステップをさらに含む請求項１６に記載の方法。
【請求項１８】
コンピューティング装置に表示形式の図形情報を表示するステップをさらに含む請求項
１１に記載の方法。
【請求項１９】
前記表示複製モジュールが、コンピューティング装置の１組の表示特性と独立している
１組の規定特性を有し、処理形式が表示形式と独立している請求項１１に記載の方法。
【請求項２０】
コンピューティング装置の表示機能を表す１組の表示特性を有するコンピューティング
装置の表示用に図形情報を修正するためのシステムにおいて、
コンピューティング装置によって解釈可能な処理形式の図形情報を保持するための表示
複製モジュールと、
第２の形式の図形情報を提供するために、前記表示複製モジュールに図形情報を生成す
るための解釈機構と、
コンピューティング装置の表示用に適応され、図形情報の具体表現のシミュレーションを与える表示形式の図形情報を提供するために、
１組の表示特性に基づくアクセス方式に従い前記表示複製モジュールから処理形式の図形
情報を入手するためのモジュール・アクセス機構と、
処理形式と表示形式への図形の変換を調整するためのコントローラと
を含むシステム。
【請求項２１】
図形情報を複数の図形要素に区分し、図形情報からの表示可能な特性を表す前記複数の
図形要素のそれぞれの間の相互関係を決定するための区分機構であって、前記決定された
相互関係に従って構成された前記複数の図形要素が図形情報を表す区分機構をさらに含み
、前記解釈機構が、前記表示複製モジュールに前記複数の図形要素を生成する請求項２０
に記載のシステム。
【請求項２２】
図形情報を保持するための図形データ記憶装置へのインターフェースと、
図形情報に対する識別子を含む、図形情報に対する要求を前記図形データ記憶装置に提
供するための要求生成機構と
をさらに含む請求項２０に記載のシステム。
【請求項２３】
前記要求生成機構が、コンピューティング装置の表示機能に基づくコンピューティング
装置の１組の表示特性であって、前記要求と共に前記図形データ記憶装置に提供される１
組の表示特性を作成するための特性設定機構を含む請求項２２に記載のシステム。
【請求項２４】
前記解釈機構が、
前記複数の図形要素のそれぞれを処理形式に変換するための形式変換機構と、
前記決定された相互関係に従って前記表示複製モジュールで前記複数の処理形式の図形
要素のそれぞれを構成するための図形複製機構と
を含む請求項２１に記載のシステム。
【請求項２５】
前記モジュール・アクセス機構が、
１組の表示特性に基づいてコンピューティング装置に対する１組の制約を決定するため
の特性機構と、
処理形式の図形情報を１組の制約に適合させるために、前記アクセス方式を形成する１
組の操作を決定するための操作決定機構と
を含む請求項２０に記載のシステム。
【請求項２６】
前記モジュール・アクセス機構が、前記アクセス方式に基づいて表示複製モジュールか
ら処理形式の図形情報を取り出すための取り出し機構をさらに含む請求項２５に記載のシ
ステム。
【請求項２７】
コンピューティング装置の表示用に表示形式の図形情報を提供するための表示提示機構
をさらに含む請求項２０に記載のシステム。
【請求項２８】
前記表示複製モジュールは、コンピューティング装置の１組の表示特性と独立している
１組の規定特性を有し、処理形式は表示形式と独立している請求項２０に記載のシステム。
【請求項２９】
コンピューティング装置の表示機能を表す１組の表示特性を有するコンピューティング
装置の表示用に図形情報を修正するためのコンピュータ実行可能命令を記憶しているコン
ピュータ可読媒体において、前記コンピュータ実行可能命令が、
図形情報の具体表現のシミュレーションを与える処理形式の図形情報を提供するために表示複製モジュールへの図形情報を生成するステップと、
図形情報をコンピューティング装置に表示するのに適した表示形式に変換するために、
１組の表示特性に基づくアクセス方式に従い前記表示複製モジュールから処理形式の図形
情報を入手するステップと
を含むコンピュータ可読媒体。
【請求項３０】
前記表示複製モジュールへの図形情報を生成する前に、図形情報をそれぞれが図形情報
からの表示可能な特性を表す複数の図形要素に区分するステップをさらに含み、生成する
ステップが、処理形式の図形情報を複製するために前記表示複製モジュールへの前記複数
の図形要素のそれぞれを生成するステップを含むコンピュータ実行可能命令を記憶している請求項２９に記載のコンピュータ可読媒体。
【請求項３１】
前記表示複製モジュールへの図形情報を生成する前に、図形データ記憶装置に図形情報
を要求するステップをさらに含むコンピュータ実行可能命令を記憶している請求項２９に記載のコンピュータ可読媒体。
【請求項３２】
要求するステップが、
コンピューティング装置の表示機能に基づいてコンピューティング装置の１組の表示特
性を作成するステップと、
図形情報に対する１組の表示特性と識別子とを含んでいる要求を前記図形データ記憶装
置に提供するステップと
を含むコンピュータ実行可能命令を記憶している請求項３１に記載のコンピュータ可読媒体。
【請求項３３】
区分するステップが、図形情報の表示を形成する前記決定された相互関係に従って構成
された前記複数の図形要素のそれぞれの間の相互関係を決定するステップを含むコンピュータ実行可能命令を記憶している請求項３０に記載のコンピュータ可読媒体。
【請求項３４】
生成するステップが、
前記複数の図形要素のそれぞれを第１の形式から処理形式に変換するステップと、
前記決定された相互関係に従い前記表示複製モジュールで処理形式の前記複数の図形要
素のそれぞれを構成するステップと
を含むコンピュータ実行可能命令を記憶している請求項３３に記載のコンピュータ可読媒体。
【請求項３５】
入手するステップが、
１組の表示特性に基づいてコンピューティング装置に対する１組の制約を決定するステ
ップと、
処理形式の図形情報を１組の制約に適合させるために、前記アクセス方式を形成する１
組の操作を決定するステップと
を含むコンピュータ実行可能命令を記憶している請求項２９に記載のコンピュータ可読媒体。
【請求項３６】
入手するステップが、前記アクセス方式に基づいて処理形式の図形情報を前記表示複製
モジュールから取り出すステップをさらに含むコンピュータ実行可能命令を記憶している請求項３５に記載のコンピュータ可読媒体。
【請求項３７】
コンピューティング装置に表示形式の図形情報を表示するステップをさらに含むコンピュータ実行可能命令を記憶している請求項２９に記載のコンピュータ可読媒体。
【請求項３８】
前記表示複製モジュールが、コンピューティング装置の１組の表示特性と独立している
１組の規定特性を有し、処理形式が表示形式と独立しているコンピュータ実行可能命令を記憶している請求項２９に記載のコンピュータ可読媒体。
【請求項３９】
コンピューティング装置の表示機能を表す１組の表示特性を有するコンピューティング
装置の表示用に図形情報を修正するためのコンピュータ実行可能命令を記憶しているコン
ピュータ可読媒体において、前記コンピュータ実行可能命令が、
図形情報をそれぞれが図形情報からの表示可能な特性を表す複数の図形要素に区分する
ステップと、
図形情報の具体表現のシミュレーションを与える処理形式の図形情報を提供するために表示複製モジュールへの前記複数の図形要素のそれぞれを生成するステップと、
コンピューティング装置の表示に適した表示形式に図形情報を変換するために、１組の
表示特性に基づくアクセス方式に従い前記表示複製モジュールから処理形式の図形情報を
入手するステップと
を含むコンピュータ可読媒体。
【請求項４０】
図形情報を区分する前に図形データ記憶装置に図形情報を要求するステップをさらに含むコンピュータ実行可能命令を記憶している請求項３９に記載のコンピュータ可読媒体。
【請求項４１】
要求するステップが、
コンピューティング装置の表示機能に基づいてコンピューティング装置の１組の表示特
性を作成するステップと、
図形情報に対する１組の表示特性と識別子である要求を前記図形データ記憶装置に提供
するステップと
を含むコンピュータ実行可能命令を記憶している請求項４０に記載のコンピュータ可読媒体。
【請求項４２】
区分するステップが、図形情報の表示を形成する前記決定された相互関係に従って構成
された前記複数の図形要素のそれぞれの間の相互関係を決定するステップを含むコンピュータ実行可能命令を記憶している請求項３９に記載のコンピュータ可読媒体。
【請求項４３】
生成するステップが、
前記複数の図形要素のそれぞれを第１の形式から処理形式に変換するステップと、
前記決定された相互関係に従い、前記表示複製モジュールで前記複数の処理形式の図形
要素を構成するステップと
を含むコンピュータ実行可能命令を記憶している請求項３９に記載のコンピュータ可読媒体。
【請求項４４】
入手するステップが、
１組の表示特性に基づいてコンピューティング装置に対する１組の制約を決定するステ
ップと、
処理形式の図形情報を１組の制約に適合させるために、前記アクセス方式を形成する１
組の操作を決定するステップと
を含むコンピュータ実行可能命令を記憶している請求項３９に記載のコンピュータ可読媒体。
【請求項４５】
入手するステップが、前記アクセス方式に基づいて処理形式の図形情報を前記表示複製
モジュールから取り出すステップをさらに含むコンピュータ実行可能命令を記憶している請求項４４に記載のコンピュータ可読媒体。
【請求項４６】
コンピューティング装置に表示形式の図形情報を表示するステップをさらに含むコンピュータ実行可能命令を記憶している請求項３９に記載のコンピュータ可読媒体。
【請求項４７】
前記表示複製モジュールが、コンピューティング装置の１組の表示特性と独立している
１組の規定特性を有し、処理形式が表示形式と独立しているコンピュータ実行可能命令を記憶している請求項３９に記載のコンピュータ可読媒体。